【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）でのワイヤレス通信のための方法であって、
物理ブロードキャストチャネル（ＰＢＣＨ）を備える同期信号（ＳＳ）ブロックを受信することと、
前記ＰＢＣＨから、制御情報を含む制御リソースセット（コアセット）のコアセット構成を指示するコアセット構成指示を識別することと、
前記ＰＢＣＨから、前記コアセットおよび前記ＳＳブロックが時分割多重化され、周波数分割多重化され、またはその両方であるかどうかを指示する多重化指示を識別することと、
前記コアセット構成指示と前記多重化指示とに少なくとも部分的に基づいて前記コアセットを決定することと、
前記コアセット内の前記制御情報について監視することと、
前記制御情報に少なくとも部分的に基づいて、データチャネル内の残りの最小システム情報（ＲＭＳＩ）の位置を決定することと
を備える方法。
【請求項２】
前記コアセットを決定することは、
前記多重化指示によって指示される多重化のタイプを識別することと、
多重化の前記タイプに対応する前記コアセット構成を識別することと
をさらに備える、請求項１に記載の方法。
【請求項３】
前記コアセットを決定することは、
前記コアセット構成指示と前記多重化指示とに少なくとも部分的に基づいて、前記コアセットの位置を識別することと、
前記コアセットの前記位置を識別することに少なくとも部分的に基づいて前記コアセットを決定することと
をさらに備える、請求項１に記載の方法。
【請求項４】
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備え、前記相対位置指示は、前記コアセットが周波数領域で前記ＳＳブロックの上または下のどちらにあるのかを指示する、請求項１に記載の方法。
【請求項５】
前記コアセットおよび前記ＳＳブロックは、前記周波数領域でガードバンドによって分離され、または、前記オフセットが、前記データチャネルによってまたがれる帯域幅の縁のリソースブロックと別のダウンリンクチャネルによってまたがれる帯域幅の縁のリソースブロックとの間にある、請求項４に記載の方法。
【請求項６】
前記コアセット構成に少なくとも部分的に基づいて残りの最小システム情報（ＲＭＳＩ）を備えるデータチャネルの構成を決定すること
をさらに備える、請求項１に記載の方法。
【請求項７】
前記多重化指示は、残りの最小システム情報（ＲＭＳＩ）を備えるデータチャネルが前記ＳＳブロックと共に時分割多重化され、周波数分割多重化され、またはその両方であるかどうかをさらに指示する、請求項１に記載の方法。
【請求項８】
前記コアセット内の制御チャネルの位置を識別することと、前記制御チャネルは、前記制御情報を備える、
前記コアセット内の前記制御チャネルの前記位置を識別することに少なくとも部分的に基づいて、前記制御チャネル内の前記制御情報を処理することと
をさらに備える、請求項１に記載の方法。
【請求項９】
基地局でのワイヤレス通信のための方法であって、
１つまたは複数のユーザ機器（ＵＥ）に送信すべき同期信号（ＳＳ）ブロックを識別することと、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別することと、
前記同期信号と前記ＰＢＣＨとを備える前記ＳＳブロックを送信することと、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信することと
を備え、前記制御情報は、前記１つまたは複数のＵＥのデータチャネル内の残りの最小システム情報（ＲＭＳＩ）の位置を指示する、方法。
【請求項１０】
前記コアセット構成指示によって指示される前記コアセットの前記構成は、前記多重化指示によって指示される多重化のタイプに対応する、請求項９に記載の方法。
【請求項１１】
前記データチャネルの位置は、前記１つまたは複数のＵＥとの通信に使用される別のダウンリンクチャネルの位置から周波数オフセットされる、請求項９に記載の方法。
【請求項１２】
前記１つまたは複数のＵＥの残りの最小システム情報（ＲＭＳＩ）を備えるデータチャネルの構成は、前記コアセットの構成に基づく、請求項９に記載の方法。
【請求項１３】
前記多重化指示は、前記１つまたは複数のＵＥの残りの最小システム情報（ＲＭＳＩ）を備えるデータチャネルおよび前記ＳＳブロックが時分割多重化され、周波数分割多重化され、またはその両方であるかどうかをさらに指示する、請求項９に記載の方法。
【請求項１４】
ワイヤレス通信のためのモバイルデバイスであって、
物理ブロードキャストチャネル（ＰＢＣＨ）を備える同期信号（ＳＳ）ブロックを受信するための手段と、
前記ＰＢＣＨから、制御情報を含む制御リソースセット（コアセット）のコアセット構成を指示するコアセット構成指示を識別するための手段と、
前記ＰＢＣＨから、前記コアセットおよび前記ＳＳブロックが時分割多重化され、周波数分割多重化され、またはその両方であるかどうかを指示する多重化指示を識別するための手段と、
前記コアセット構成指示と前記多重化指示とに少なくとも部分的に基づいて前記コアセットを決定するための手段と、
前記コアセット内の前記制御情報について監視するための手段と、
前記制御情報に少なくとも部分的に基づいて、データチャネル内の残りの最小システム情報（ＲＭＳＩ）の位置を決定するための手段と
を備えるモバイルデバイス。
【請求項１５】
基地局でのワイヤレス通信のためのネットワークデバイスであって、
１つまたは複数のユーザ機器（ＵＥ）に送信すべき同期信号（ＳＳ）ブロックを識別するための手段と、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別するための手段と、
前記同期信号と前記ＰＢＣＨとを備える前記ＳＳブロックを送信するための手段と、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信するための手段と
を備え、前記制御情報は、前記１つまたは複数のＵＥのデータチャネル内の残りの最小システム情報（ＲＭＳＩ）の位置を指示する、ネットワークデバイス。
【手続補正２】
【補正対象書類名】明細書
【補正対象項目名】０１３５
【補正方法】変更
【補正の内容】
【０１３５】
[0144]  本明細書の説明は、当業者が本開示を作成しまたは使用することを可能にするために提供されるものである。本開示に対する様々な変更は、当業者にたやすく明確になり、本明細書で定義される包括的な原理は、本開示の範囲から逸脱せずに他の変形形態に適用され得る。従って、本開示は、本明細書で説明される例および設計に限定されるのではなく、本明細書で開示される原理および新規の特徴と一貫する最も広い範囲を与えられなければならない。
以下に、本願の出願当初の特許請求の範囲に記載された発明を付記する。
［Ｃ１］
ユーザ機器（ＵＥ）でのワイヤレス通信のための方法であって、
物理ブロードキャストチャネル（ＰＢＣＨ）を備える同期信号（ＳＳ）ブロックを受信することと、
前記ＰＢＣＨから、制御情報を含む制御リソースセット（コアセット）のコアセット構成を指示するコアセット構成指示を識別することと、
前記ＰＢＣＨから、前記コアセットおよび前記ＳＳブロックが時分割多重化され、周波数分割多重化され、またはその両方であるかどうかを指示する多重化指示を識別することと、
前記コアセット構成指示と前記多重化指示とに少なくとも部分的に基づいて前記コアセットを決定することと、
前記コアセット内の前記制御情報について監視することと
を備える方法。
［Ｃ２］
前記コアセットを決定することは、
前記多重化指示によって指示される多重化のタイプを識別することと、
多重化の前記タイプに対応する前記コアセット構成を識別することと
をさらに備える、Ｃ１に記載の方法。
［Ｃ３］
前記コアセットを決定することは、
前記コアセット構成指示と前記多重化指示とに少なくとも部分的に基づいて、前記コアセットの位置を識別することと、
前記コアセットの前記位置を識別することに少なくとも部分的に基づいて前記コアセットを決定することと
をさらに備える、Ｃ１に記載の方法。
［Ｃ４］
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、Ｃ１に記載の方法。
［Ｃ５］
前記相対位置指示は、前記コアセットが周波数領域で前記ＳＳブロックの上または下のどちらにあるのかを指示する、Ｃ４に記載の方法。
［Ｃ６］
前記コアセットおよび前記ＳＳブロックは、前記周波数領域でガードバンドによって分離される、Ｃ５に記載の方法。
［Ｃ７］
前記コアセットおよび前記ＳＳブロックは、異なる数秘術に関連する、Ｃ６に記載の方法。
［Ｃ８］
前記多重化指示および前記相対位置指示は、前記ＰＢＣＨ内で多重ビットインジケータに組み合わされる、Ｃ４に記載の方法。
［Ｃ９］
前記ＳＳブロックの中心周波数は、整数個のリソースブロックだけ前記コアセットの中心周波数からオフセットされ、前記相対位置指示は、前記オフセットを指示する、Ｃ４に記載の方法。
［Ｃ１０］
前記コアセットは、周波数領域で前記ＳＳブロックに隣接する、Ｃ１に記載の方法。
［Ｃ１１］
前記制御情報に少なくとも部分的に基づいて、データチャネル内の残りの最小システム情報（ＲＭＳＩ）の位置を決定すること
をさらに備える、Ｃ１に記載の方法。
［Ｃ１２］
前記データチャネルの位置は、基地局との通信に使用される別のダウンリンクチャネルの位置から周波数オフセットされる、Ｃ１１に記載の方法。
［Ｃ１３］
前記ＲＭＳＩは、前記データチャネルの前記位置と前記別のダウンリンクチャネルの前記位置との間の前記オフセットを指示する、Ｃ１２に記載の方法。
［Ｃ１４］
前記オフセットは、前記データチャネルの中心周波数と前記別のダウンリンクチャネルの中心周波数との間である、Ｃ１２に記載の方法。
［Ｃ１５］
前記オフセットは、前記データチャネルによってまたがれる帯域幅の縁のリソースブロックと前記別のダウンリンクチャネルによってまたがれる帯域幅の縁のリソースブロックとの間である、Ｃ１２に記載の方法。
［Ｃ１６］
前記コアセット構成に少なくとも部分的に基づいて残りの最小システム情報（ＲＭＳＩ）を備えるデータチャネルの構成を決定すること
をさらに備える、Ｃ１に記載の方法。
［Ｃ１７］
前記多重化指示は、残りの最小システム情報（ＲＭＳＩ）を備えるデータチャネルが前記ＳＳブロックと共に時分割多重化され、周波数分割多重化され、またはその両方であるかどうかをさらに指示する、Ｃ１に記載の方法。
［Ｃ１８］
前記コアセット内の制御チャネルの位置を識別することと、前記制御チャネルは、前記制御情報を備える、
前記コアセット内の前記制御チャネルの前記位置を識別することに少なくとも部分的に基づいて、前記制御チャネル内の前記制御情報を処理することと
をさらに備える、Ｃ１に記載の方法。
［Ｃ１９］
基地局でのワイヤレス通信のための方法であって、
１つまたは複数のユーザ機器（ＵＥ）に送信すべき同期信号（ＳＳ）ブロックを識別することと、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別することと、
前記同期信号と前記ＰＢＣＨとを備える前記ＳＳブロックを送信することと、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信することと
を備える方法。
［Ｃ２０］
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、Ｃ１９に記載の方法。
［Ｃ２１］
前記相対位置指示は、前記コアセットが周波数領域で前記ＳＳブロックの上または下のどちらにあるのかを指示する、Ｃ２０に記載の方法。
［Ｃ２２］
前記多重化指示および前記相対位置指示は、前記ＰＢＣＨ内で多重ビットインジケータとして組み合わされる、Ｃ２０に記載の方法。
［Ｃ２３］
前記コアセットおよび前記ＳＳブロックは、周波数領域でガードバンドによって分離される、Ｃ２０に記載の方法。
［Ｃ２４］
前記コアセットおよび前記ＳＳブロックは、異なる数秘術に関連する、Ｃ２３に記載の方法。
［Ｃ２５］
前記ＳＳブロックの中心周波数は、整数個のリソースブロックだけ前記コアセットの中心周波数からオフセットされる、Ｃ２０に記載の方法。
［Ｃ２６］
前記コアセットは、周波数領域で前記ＳＳブロックに隣接する、Ｃ１９に記載の方法。
［Ｃ２７］
前記コアセット構成指示によって指示される前記コアセットの前記構成は、前記多重化指示によって指示される多重化のタイプに対応する、Ｃ１９に記載の方法。
［Ｃ２８］
前記制御情報は、前記１つまたは複数のＵＥのデータチャネル内の残りの最小システム情報（ＲＭＳＩ）の位置を指示する、Ｃ１９に記載の方法。
［Ｃ２９］
前記データチャネルの位置は、前記１つまたは複数のＵＥとの通信に使用される別のダウンリンクチャネルの位置から周波数オフセットされる、Ｃ２８に記載の方法。
［Ｃ３０］
前記ＲＭＳＩは、前記データチャネルの前記位置と前記別のダウンリンクチャネルの前記位置との間の前記オフセットを指示する、Ｃ２９に記載の方法。
［Ｃ３１］
前記オフセットは、前記データチャネルの中心周波数と前記別のダウンリンクチャネルの中心周波数との間である、Ｃ２９に記載の方法。
［Ｃ３２］
前記オフセットは、前記データチャネルによってまたがれる帯域幅の縁のリソースブロックと前記別のダウンリンクチャネルによってまたがれる帯域幅の縁のリソースブロックとの間である、Ｃ２９に記載の方法。
［Ｃ３３］
前記１つまたは複数のＵＥの残りの最小システム情報（ＲＭＳＩ）を備えるデータチャネルの構成は、前記コアセットの構成に基づく、Ｃ１９に記載の方法。
［Ｃ３４］
前記多重化指示は、前記１つまたは複数のＵＥの残りの最小システム情報（ＲＭＳＩ）を備えるデータチャネルおよび前記ＳＳブロックが時分割多重化され、周波数分割多重化され、またはその両方であるかどうかをさらに指示する、Ｃ１９に記載の方法。
［Ｃ３５］
ワイヤレス通信のためのモバイルデバイスであって、
物理ブロードキャストチャネル（ＰＢＣＨ）を備える同期信号（ＳＳ）ブロックを受信するための手段と、
前記ＰＢＣＨから、制御情報を含む制御リソースセット（コアセット）のコアセット構成を指示するコアセット構成指示を識別するための手段と、
前記ＰＢＣＨから、前記コアセットおよび前記ＳＳブロックが時分割多重化され、周波数分割多重化され、またはその両方であるかどうかを指示する多重化指示を識別するための手段と、
前記コアセット構成指示と前記多重化指示とに少なくとも部分的に基づいて前記コアセットを決定するための手段と、
前記コアセット内の前記制御情報について監視するための手段と
を備えるモバイルデバイス。
［Ｃ３６］
前記コアセットを決定するための前記手段は、
前記多重化指示によって指示される多重化のタイプを識別するための手段と、
多重化の前記タイプに対応する前記コアセット構成を識別するための手段と
を備える、Ｃ３５に記載のモバイルデバイス。
［Ｃ３７］
前記コアセットを決定するための前記手段は、
前記コアセット構成指示と前記多重化指示とに少なくとも部分的に基づいて、前記コアセットの位置を識別するための手段と、
前記コアセットの前記位置を識別することに少なくとも部分的に基づいて前記コアセットを決定するための手段と
を備える、Ｃ３５に記載のモバイルデバイス。
［Ｃ３８］
前記コアセット構成指示は、前記コアセットが前記ＳＳブロックと共に周波数分割多重化されることを前記多重化指示が指示する時に前記コアセットが周波数領域で前記ＳＳブロックの上または下のどちらにあるのかを指示する相対位置指示を備える、Ｃ３５に記載のモバイルデバイス。
［Ｃ３９］
前記ＳＳブロックの中心周波数は、整数個のリソースブロックだけ前記コアセットの中心周波数からオフセットされ、前記相対位置指示は、前記オフセットを指示する、Ｃ３８に記載のモバイルデバイス。
［Ｃ４０］
前記制御情報に少なくとも部分的に基づいて、データチャネル内の残りの最小システム情報（ＲＭＳＩ）の位置を決定するための手段
をさらに備える、Ｃ３５に記載のモバイルデバイス。
［Ｃ４１］
前記コアセット構成に少なくとも部分的に基づいて残りの最小システム情報（ＲＭＳＩ）を備えるデータチャネルの構成を決定するための手段
をさらに備える、Ｃ３５に記載のモバイルデバイス。
［Ｃ４２］
基地局でのワイヤレス通信のためのネットワークデバイスであって、
１つまたは複数のユーザ機器（ＵＥ）に送信すべき同期信号（ＳＳ）ブロックを識別するための手段と、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別するための手段と、
前記同期信号と前記ＰＢＣＨとを備える前記ＳＳブロックを送信するための手段と、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信するための手段と
を備えるネットワークデバイス。
［Ｃ４３］
前記コアセット構成指示は、前記コアセットが前記ＳＳブロックと共に周波数分割多重化されることを前記多重化指示が指示する時に前記ＳＳブロックに関する前記コアセットの相対位置を指示する相対位置指示を備える、Ｃ４２に記載のネットワークデバイス。
［Ｃ４４］
前記相対位置指示は、前記コアセットが周波数領域で前記ＳＳブロックの上または下のどちらにあるのかを指示する、Ｃ４３に記載のネットワークデバイス。
［Ｃ４５］
前記ＳＳブロックの中心周波数は、整数個のリソースブロックだけ前記コアセットの中心周波数からオフセットされる、Ｃ４３に記載のネットワークデバイス。
［Ｃ４６］
ワイヤレス通信のためのモバイルデバイスであって、
プロセッサと、
前記プロセッサと電気通信しているメモリと、
前記メモリ内に記憶され、前記プロセッサによって実行可能であり、前記モバイルデバイスに
物理ブロードキャストチャネル（ＰＢＣＨ）を備える同期信号（ＳＳ）ブロックを受信することと、
前記ＰＢＣＨから、制御情報を含む制御リソースセット（コアセット）のコアセット構成を指示するコアセット構成指示を識別することと、
前記ＰＢＣＨから、前記コアセットおよび前記ＳＳブロックが時分割多重化され、周波数分割多重化され、またはその両方であるかどうかを指示する多重化指示を識別することと、
前記コアセット構成指示と前記多重化指示とに少なくとも部分的に基づいて前記コアセットを決定することと、
前記コアセット内の前記制御情報について監視することと
をさせる命令と
を備えるモバイルデバイス。
［Ｃ４７］
基地局でのワイヤレス通信のためのネットワークデバイスであって、
プロセッサと、
前記プロセッサと電気通信しているメモリと、
前記メモリ内に記憶され、前記プロセッサによって実行可能であり、前記ネットワークデバイスに
１つまたは複数のユーザ機器（ＵＥ）に送信すべき同期信号（ＳＳ）ブロックを識別することと、前記ＳＳブロックは、同期信号と物理ブロードキャストチャネル（ＰＢＣＨ）とを備える、
制御リソースセット（コアセット）の制御チャネル内で前記１つまたは複数のＵＥに送信すべき制御情報を識別することと、
前記同期信号と前記ＰＢＣＨとを備える前記ＳＳブロックを送信することと、ここにおいて、前記ＰＢＣＨは、前記コアセットの構成を指示するコアセット構成指示と、前記コアセットおよび前記ＳＳブロックが時分割多重化され、周波数分割多重化され、またはその両方であるかどうかを指示する多重化指示とを備える、
前記コアセットの前記制御チャネル内で前記１つまたは複数のＵＥに前記制御情報を送信することと
をさせる命令と
を備えるネットワークデバイス。
［Ｃ４８］
ワイヤレス通信のためのコードを記憶する非一時的コンピュータ可読媒体であって、前記コードは、
物理ブロードキャストチャネル（ＰＢＣＨ）を備える同期信号（ＳＳ）ブロックを受信し、
前記ＰＢＣＨから、制御情報を含む制御リソースセット（コアセット）のコアセット構成を指示するコアセット構成指示を識別し、
前記ＰＢＣＨから、前記コアセットおよび前記ＳＳブロックが時分割多重化され、周波数分割多重化され、またはその両方であるかどうかを指示する多重化指示を識別し、    前記コアセット構成の情報と前記多重化指示とに少なくとも部分的に基づいて前記コアセットを決定し、
前記コアセット内の前記制御情報について監視する
ためにプロセッサによって実行可能な命令を備える
非一時的コンピュータ可読媒体。